(57)【要約】  【課題】  実用的な任意の長さの電線を備えた上、効率的に電波信号を受信することができる受信装置を構成する。  【解決手段】  商用電源に接続するプラグ１を一端に有する電線２ａと、電線２ａで受けた電波信号を通過させ、電源からの電流を遮断する第１フィルタ３ａと、電線２ａ及び電源回路５ａを通じて電力が供給され、第１フィルタ３ａを介して電線２ａに接続してあり、電波信号を受信する信号受信部５ｃとを備える受信装置に、プラグ１及び第１フィルタ３ａ間に、電波に共振する共振回路４を備え、共振回路４及び第１フィルタ３ａ間の電線２ａの長さを、電波信号に同調する長さにする。【選択図】        図１
2005341067.tif 000002
【特許請求の範囲】
【請求項１】
電源に接続するプラグを一端に有する電線と、該電線で受けた電波信号を通過させ、電源からの電流を遮断するフィルタと、該フィルタを介して、前記電波信号を受信する信号受信部とを備える受信装置において、
前記プラグ及び前記フィルタ間に、前記電波信号に共振する共振回路を１又は複数備え、
該共振回路及び前記フィルタ間の電線の長さを、前記電波信号に同調する長さにしてあることを特徴とする受信装置。
【請求項２】
前記共振回路は、
前記電線に並列接続してあるコンデンサ及びコイルであることを特徴とする請求項１に記載の受信装置。
【請求項３】
前記共振回路及び前記フィルタ間の電線の長さを、前記共振回路で共振する電波信号に係る電波の波長の略４分の１の長さにしてあることを特徴とする請求項１又は請求項２に記載の受信装置。
【請求項４】
前記共振回路の共振周波数は、７６ＭＨｚ乃至２２２ＭＨｚ、又は４７０ＭＨｚ乃至７６４ＭＨｚのいずれかであることを特徴とする請求項１乃至請求項３のいずれか一つに記載の受信装置。
【請求項５】
電源に接続するプラグと、該プラグを一端に有する電線と、該電線で受けた電波信号を通過させ、電源からの電流を遮断するフィルタとを備える電源コードにおいて、
前記プラグ及び前記フィルタ間に、前記電波信号に共振する共振回路を１又は複数備え、
該共振回路及び前記フィルタ間の電線の長さを、前記電波信号に同調する長さにしてあることを特徴とする電源コード。
【請求項６】
前記共振回路は、
前記電線に並列接続してあるコンデンサ及びコイルであることを特徴とする請求項５に記載の電源コード。
【発明の詳細な説明】
【技術分野】
【０００１】
本発明は、電源供給用の電源コードの電線をアンテナとして使用して電波信号を受信する受信装置、及び電源供給用の電線をアンテナとして使用して電波信号を受信する電源コードに関する。
【背景技術】
【０００２】
商用電源に接続する電源コードをアンテナとして使用し、電波信号を受信することができるラジオ又はテレビジョン受像機等の受信装置がある。前記受信装置は、商用電源に接続してチューナの電源回路に電流を供給する電線と、電線で受けた電波信号を通過させ、電源からの電流を遮断するフィルタを介して前記電線に接続してあるチューナとを備えている（特許文献１）。
【０００３】
このように構成される受信装置によれば、電線は、電源から電源回路へ電流を供給する本来の機能に加え、放送局から送信されたＦＭ、ＶＨＦ又はＵＨＦの電波信号を受信するアンテナとしての機能を有する。また、フィルタは、商用交流の５０Ｈｚ又は６０Ｈｚの周波数に対して高インピーダンスであり、受信する電波信号の周波数に対しては低インピーダンスのハイパスフィルタとして機能する。電波を受けた電線においては、電波により生じた電波信号に、電源からの電流が重畳されているが、フィルタにより電源からの電流が遮断され、前記電波信号のみがチューナに入力される。そして、チューナにより所定の電波信号が選択されて受信されることになる。
【０００４】
従って、屋外にアンテナを設置し、アンテナから同軸ケーブル又はフィーダ線を屋内に引き入れる必要がなくなる。また、屋内用アンテナを設定する必要もない。
【特許文献１】特開２００２−１５１９３２号公報
【発明の開示】
【発明が解決しようとする課題】
【０００５】
しかしながら、一般に、電波信号を効率的に受信する最適な電線の長さは、受信する電波信号に係る電波の波長の略４分の１の長さ又は該長さの整数倍の長さである。仮に電線の長さを電波信号の受信に最適な長さに設定した場合、例えばＶＨＦの電波信号の受信に最適な長さに設定した場合、電線の長さは約４５ｃｍの整数倍となり、実用的な長さを自由に選択することができない。逆に、電線の長さを４５ｃｍの整数倍以外の長さに適宜設定した場合、アンテナとして機能する電線の長さは、受信する電波信号に同調するための最適長から外れ、効率的に電波信号を受信することができないという問題があった。
【０００６】
本発明は斯かる事情に鑑みてなされたものであり、受信する電波信号に共振する共振回路をプラグ及びフィルタ間に介装することにより、実用的な任意の長さの電線を備えた上、効率的に電波信号を受信することができる受信装置及び電源コードを提供することを目的とする。
【０００７】
また、コンデンサ及びコイルを電線に並列接続することにより、共振回路を簡単な構成で実現でき、並列共振する電波信号を受信することができる受信装置及び電源コードを提供することを他の目的とする。
【０００８】
更に、共振回路及びフィルタ間の電線の長さが、受信する電波信号に係る電波の波長の略４分の１の長さとなるように共振回路を介装することにより、効率的に電波信号を受信することができる受信装置を提供することを他の目的とする。
【０００９】
更にまた、共振回路の共振周波数をＦＭ、ＶＨＦ、又はＵＨＦの電波信号の周波数帯域のいずれかに設定することにより、効率的に電波信号を受信することができる受信装置を提供することを他の目的とする。
【課題を解決するための手段】
【００１０】
本発明に係る受信装置は、電源に接続するプラグを一端に有する電線と、該電線で受けた電波信号を通過させ、電源からの電流を遮断するフィルタと、該フィルタを介して、前記電波信号を受信する信号受信部とを備える受信装置において、前記プラグ及び前記フィルタ間に、前記電波信号に共振する共振回路を１又は複数備え、該共振回路及び前記フィルタ間の電線の長さを、前記電波信号に同調する長さにしてあることを特徴とする。
【００１１】
本発明に係る受信装置において、前記共振回路は、前記電線に並列接続してあるコンデンサ及びコイルであることを特徴とする。
【００１２】
本発明に係る受信装置は、前記共振回路及び前記フィルタ間の電線の長さを、前記共振回路で共振する電波信号に係る電波の波長の略４分の１の長さにしてあることを特徴とする。
【００１３】
本発明に係る受信装置において、前記共振回路の共振周波数は、７６ＭＨｚ乃至２２２ＭＨｚ、又は４７０ＭＨｚ乃至７６４ＭＨｚのいずれかであることを特徴とする。
【００１４】
本発明に係る電源コードは、電源に接続するプラグと、該プラグを一端に有する電線と、該電線で受けた電波信号を通過させ、電源からの電流を遮断するフィルタとを備える電源コードにおいて、前記プラグ及び前記フィルタ間に、前記電波信号に共振する共振回路を１又は複数備え、該共振回路及び前記フィルタ間の電線の長さを、前記電波信号に同調する長さにしてあることを特徴とする。
【００１５】
本発明に係る電源コードにおいて、前記共振回路は、前記電線に並列接続してあるコンデンサ及びコイルであることを特徴とする。
【００１６】
本発明にあっては、共振回路が電波信号に共振した場合、電線で受けた電波信号に対して共振回路のインピーダンスが理論的に無限大となり、共振回路とプラグ間で受けた電波信号が共振回路からフィルタ側に通過することは無い。従って、共振回路及びプラグ間の電線の長さに関わらず、共振回路及びフィルタ間の電線部分が実質的にアンテナとして機能する。また、共振回路及びフィルタ間の電線の長さは電波信号に同調する長さであるから、電線により電波信号を効率的に受けることができる。
【００１７】
本発明にあっては、共振回路は、電線に並列接続してあるコンデンサ及びコイルであるため、簡単な構成で共振回路を構成することができる。なお、電線で受けた電波信号が並列共振する場合、前記電波信号に対して共振回路のインピーダンスが理論的に無限大になる。従って、プラグ及び共振回路間の電線の長さに関わらず、電波信号を効率的に受信することができる。
【００１８】
本発明にあっては、共振回路及びフィルタ間の電線の長さは受信する電波信号に係る電波の波長の略４分の１の長さであるため、共振回路及びフィルタ間の電線で電波信号が良好に同調する。従って、電波信号を効率的に受信することができる。
【００１９】
本発明にあっては、共振回路の共振周波数は、ＦＭ、ＶＨＦ、又はＵＨＦのいずれかの周波数である。従って、ＦＭ、ＶＨＦ、又はＵＨＦの電波信号に対して共振回路は共振し、前記電波信号を効率的に受信することができる。
【発明の効果】
【００２０】
本発明に係る受信装置及び電源コードにあっては、プラグ及びコンデンサ間の電線の長さを自由に設定することができ、実用的な任意の長さの電線を備えた上、電線によって電波信号を効率的に受信することができる。
【００２１】
本発明に係る受信装置及び電源コードにあっては、簡単な構成によって、電波信号を効率的に受信することができる。
【００２２】
本発明に係る受信装置にあっては、共振回路及びフィルタ間の電線で電波信号が良好に同調するため、効率的に電波信号を受信することができる。
【００２３】
本発明に係る受信装置にあっては、共振回路の共振により、ＦＭ、ＵＨＦ、又はＶＨＦの電波信号を効率的に受信することができる。
【発明を実施するための最良の形態】
【００２４】
（実施の形態１）
以下、本発明に係る受信装置及び電源コードを実施するための最良の形態を示す図面に基づいて詳述する。図１は、実施の形態１に係る受信装置及び電源コードを示す模式図である。本発明に係る受信装置は、図示しない商用電源に接続するプラグ１と、プラグ１を一端に有する電線２ａ、２ｂと、フィルタ３ａ、３ｂと、共振回路４と、電源回路５ａと、インピーダンス変換部５ｂと、信号受信部５ｃとを備える。５は受信装置の筐体である。筐体５内で、電線２ａの適宜箇所Ａ点は、第１フィルタ３ａ、及びインピーダンス変換部５ｂを介して信号受信部５ｃの信号入力端子に接続している。同様に電線２ｂの適宜箇所Ｂ点は、筐体５内で第２フィルタ３ｂ、及びインピーダンス変換部５ｂを介して信号受信部５ｃのグランド端子に接続している。
【００２５】
プラグ１及び第１フィルタ３ａ間の電線２ａには、コンデンサ４ａ及びコイル４ｂを並列接続してなる共振回路４が介装されている。コンデンサ４ａの静電容量及びコイル４ｂのインダクタンスは、受信する電波信号に並列共振するように決定する。例えばＦＭ放送の周波数帯域である７６〜９０ＭＨｚの電波信号を受信する受信装置の場合、並列共振周波数を７６〜９０ＭＨｚの中間の周波数、８３ＭＨｚとすれば良い。並列共振周波数は、１／｛２π・（ＬＣ）1/2 ｝であるため、コンデンサ４ａの静電容量を１０ｐＦ、コイル４ｂのインダクタンスを０．３３μＨとすれば良い。
【００２６】
共振回路４及び第１フィルタ３ａ間の電線２ａの長さｄは、受信する電波信号に同調する長さ、具体的には受信する電波信号に係る電波の波長の略４分の１の長さである。８３ＭＨｚの電波の場合、電波の波長が約３６０ｃｍであるから、長さｄを、３６０ｃｍ／４＝約９０ｃｍと設定する。
【００２７】
第１フィルタ３ａ及び第２フィルタ３ｂは、商用電源から供給される５０Ｈｚ又は６０Ｈｚの電流を遮断し、電線２ａで受信する電波信号、例えば７６〜９０ＭＨｚの周波数を有する電波信号を通過させるハイパスフィルタである。電波を受けた電線２ａに誘起した電波信号と商用電源からの電流とは、第１フィルタ３ａで分離され、分離された電波信号のみがインピーダンス変換部５ｂに達する。
【００２８】
インピーダンス変換部５ｂは、フィルタ３ａ、３ｂ及びインピーダンス変換部５ｂを接続する２本の電線２ａ、２ｂのインピーダンスと、インピーダンス変換部５ｂ及び信号受信部５ｃを接続してある同軸ケーブルのインピーダンスを整合するインピーダンス整合素子である。
【００２９】
信号受信部５ｃは、インピーダンス変換部５ｂより入力された電波信号から、信号受信部５ｃで選択されたチャンネルの電波信号を抽出し、中間周波数に変換し、図示しないＩＦ信号処理部へ出力する装置である。
【００３０】
電源回路５ａは、商用電源から２本の電線２ａ、２ｂを通じて供給される電力の電圧を所定の電圧に変圧するトランス、電流を整流する整流回路、及び整流された電流を平滑化する平滑回路を備える。平滑された電流は信号受信部５ｃを含む受信装置に供給される。
【００３１】
このように構成される受信装置及び電源コードの作用について説明する。受信装置が備える電線２ａ及び電線２ｂは５０Ｈｚ又は６０Ｈｚの商用電源からの電力を電源回路５ａに供給すると共に、電波信号を受信するアンテナとして機能する。プラグ１を電源に接続した場合、プラグ１から２本の電線２ａ、２ｂ、及び電源回路５ａを通じて信号受信部５ｃに電力が供給される。そして、放送局から送信された電波を電線２ａが受けた場合、電線２ａに電波に応じた電波信号が誘起され、電線２ａには商用電源から供給される電流が、前記電波信号に重畳される。電源からの電流と電波信号とは第１フィルタ３ａで分離され、電波信号のみが信号受信部５ｃへ入力される。従って、電源から供給される電流が信号受信部５ｃに入力することは無い。
【００３２】
ところで、電線２ａに誘起される電波信号の周波数、即ち電波の周波数と、共振回路４の共振周波数とが一致した場合、前記電波信号は共振回路４において並列共振するため、前記電波信号に対して共振回路４のインピーダンスが理論的に無限大になる。そうすると、第１フィルタ３ａ及びプラグ１間に誘起された電波信号が共振回路４を通過することはなく、共振回路４及び第１フィルタ３ａ間の電線部分が実質的にアンテナとして機能する。また、前記電線部分の長さは、受信する電波信号に係る電波の波長の略４分の１の長さであるため、前記電線部分において電波信号が同調する。従って、本発明に係る受信装置及び電源コードは、共振回路４を備えない受信装置又は電源コードに比べ、電線２ａによって電波信号を良好に受信することができる。
【００３３】
本発明にあっては、共振回路４及びプラグ１間の電線の長さに関わらず、共振回路４及び第１フィルタ３ａ間の電線により電波信号を効率的に受信することができるため、共振回路４及びプラグ１間の長さを実用的な任意の長さに設定した上、電波信号を効率的に受信することができる。
【００３４】
なお、本実施の形態においては、ＦＭの電波信号に同調するようにコンデンサの静電容量及びコイルのインダクタンスを決定し、電線の長さｄを設定しているが、これに限らず、ＶＨＦ、又はＵＨＦその他の電波信号に同調するように設計しても良い。
【００３５】
また、本実施の形態においては、電源コードがフィルタを備えているが、受信装置の信号受信部側にフィルタを設けても良い。
【００３６】
図２は、実施の形態１に係る受信装置の変形例を示す模式図である。本発明に係る受信装置は、インピーダンス変換部５ｂから出力される電波信号を増幅する増幅部５ｄを更に備えている。増幅部５ｄで増幅された電波信号は切換部５ｅに入力され、入力された電波信号を切換部５ｅが信号受信部５ｃへ出力する。切換部５ｅは、外付けアンテナ６で受信した電波信号が入力されるアンテナ端子５ｆを備えており、増幅部５ｄから入力される電波信号とアンテナ端子５ｆから入力される電波信号とを切り換えて信号受信部５ｃへ出力する。その他の変形例に係る受信装置の構成は、図１に示した構成と同様であるので、同一箇所には同一符号を付して、詳細な説明を省略する。
【００３７】
このように構成される受信装置にあっては、切換部５ｅを切り換えることにより、アンテナ端子５ｆに接続した外付けアンテナ６による電波信号の受信と、電線２ａによる受信とを切り換えることができる。切換部５ｅを切り換え、電線２ａにより電波信号を受信する場合、電線２ａで受けた電波信号が増幅部５ｄで増幅され、信号受信部５ｃへ出力される。また、切換部５ｅを切り換え、外付けアンテナ６により電波信号を受信する場合、外付けアンテナ６で受信した電波信号が切換部５ｅを介して信号受信部５ｃへ出力される。
【００３８】
従って、図１に示した受信装置では電波信号を良好に受信できないような電波の弱い地域で受信装置を使用する場合であっても、電線又は外付けアンテナを用いて電波信号を良好に受信することが可能となる。
【００３９】
（実施の形態２）
図３は、実施の形態２に係る受信装置及び電源コードを示す模式図である。本発明に係る電源コードは、異なる周波数帯域に属する２種の電波を効率的に受信するために、プラグ１及びフィルタ３ａ間に介装された第１共振回路１０４及び第２共振回路１４０を備えている。
【００４０】
第１共振回路１０４は、実施の形態１と同様に電線２ａの中途に並列接続している第１コンデンサ１０４ａ及び第１コイル１０４ｂであるが、並列共振周波数が異なる。ここでは、第１共振回路１０４の並列共振周波数を、ＶＨＦの電波信号、例えば１５６ＭＨｚの電波信号に並列共振するように決定する。具体的には、第１コンデンサ１０４ａの静電容量を５ｐＦ、第１コイル１０４ｂのインダクタンスを０．２１μＨとすれば良い。第１共振回路１０４及び第１フィルタ３ａ間の電線２ａの長さｄ１は、１５６ＭＨｚの電波に係る電波信号に同調する長さである。具体的には、１５６ＭＨｚの電波の波長は、約１９２ｃｍであるから、長さｄ１を１９２／４＝約４８ｃｍと設定する。
【００４１】
第２共振回路１４０は、第１共振回路１０４及び第１フィルタ３ａ間の電線２ａに並列接続している第２コンデンサ１４０ａ及び第２コイル１４０ｂである。第２共振回路１４０の並列共振周波数は、ＵＨＦの電波、例えば６１７ＭＨｚの電波に係る電波信号に並列共振するように決定する。具体的には、第２コンデンサ１４０ａの静電容量を１ｐＦ、第２コイル１４０ｂのインダクタンスを０．０６μＨとすれば良い。そして、第２共振回路１４０及び第２フィルタ３ｂ間の電線２ａの長さｄ２は、受信する６１７ＭＨｚの電波信号に同調する長さである。具体的には、６１７ＭＨｚの電波の波長は、約４８．６ｃｍであるから、電線２ａの長さｄ２を４８．６／４＝約１２ｃｍと設定する。
【００４２】
その他の実施の形態２に係る受信装置の構成は、実施の形態１に示した構成と同様であるので、同様な箇所には同様な符号を付して、詳細な説明を省略する。
【００４３】
このように構成される受信装置及び電源コードの作用について説明する。まず、実施の形態１と同様に、放送局から送信される電波を受けた電線２ａに誘起される電波信号は、第２共振回路１４０で並列共振するため、第２共振回路１４０及び第１フィルタ３ａ間の電線部分が実質的にアンテナとして機能する。そして、前記電線部分の長さｄ２は、ＵＨＦの電波信号に同調する長さであるから、ＵＨＦの電波信号を効率的に受信することができる。
【００４４】
また、電線２ａに誘起される電波信号の内、第１共振回路１０４に並列共振するＶＨＦの電波信号は、第２共振回路１４０で並列共振しないため、第１共振回路１０４及び第１フィルタ３ａ間の電線部分が実質的にアンテナとして機能する。前記電線部分の長さｄ１は、ＶＨＦの電波信号に同調する長さであるから、ＶＨＦの電波信号を効率的に受信することができる。
【００４５】
従って、実施の形態２に係る受信装置及び電源コードにあっては、周波数帯域の異なるＶＨＦ及びＵＨＦ夫々の電波信号を効率的に受信することができる。
【００４６】
なお、本実施の形態においては、電源コードがフィルタを備えているが、受信装置の信号受信部側にフィルタを設けても良い。
【図面の簡単な説明】
【００４７】
【図１】実施の形態１に係る受信装置及び電源コードを示す模式図である。
【図２】実施の形態１に係る受信装置の変形例を示す模式図である。
【図３】実施の形態２に係る受信装置及び電源コードを示す模式図である。
【符号の説明】
【００４８】
１  プラグ
２ａ、２ｂ  電線
４ａ  コンデンサ
４ｂ  コイル
４  共振回路
３ａ  第１フィルタ
３ｂ  第２フィルタ
１０４  第１共振回路
１４０  第２共振回路
５  筐体
５ａ  電源回路
５ｂ  インピーダンス変換部
５ｃ  信号受信部
５ｄ  増幅部
５ｅ  切換部
５ｆ  アンテナ端子
【図１】
2005341067.tif 000003
【図２】
2005341067.tif 000004
【図３】
2005341067.tif 000005